【手続補正書】
【提出日】平成23年8月8日(2011.8.8)
【手続補正１】
【補正対象書類名】特許請求の範囲
【補正対象項目名】全文
【補正方法】変更
【補正の内容】
【特許請求の範囲】
【請求項１】
無線通信機器と通信する方法であって、
複数入力複数出力（ＭＩＭＯ）アンテナシステムから送信される直交周波数分割多重接続（ＯＦＤＭＡ）信号を受信することであって、前記ＯＦＤＭＡ信号は、１つ以上のリソースブロックを用いることによって受信され、各リソースブロックは、１８個のサブキャリアと７個のＯＦＤＭＡシンボルとを表す１８＊７行列の形態である、ことと、
４つのストリームに対応する４つのパイロット信号に基づいてチャンネル推定を行うことであって、前記４つのパイロット信号は、前記７個のＯＦＤＭＡシンボルの１番目、２番目、５番目及び６番目のＯＦＤＡＭシンボルにのみわたって分散される、ことと
を含み、各ＯＦＤＭＡシンボルは、パイロットサブキャリアを含み、１番目及び２番目に発生するパイロットサブキャリアは、４個のサブキャリアだけ離れており、前記２番目及び３番目に発生するパイロットサブキャリアは、６個のサブキャリアだけ離れており、前記３番目及び４番目に発生するパイロットサブキャリアは、４個のサブキャリアだけ離れており、
各ＯＦＤＭＡシンボルは、前記パイロットサブキャリアを含み、前記１番目〜４番目に発生するパイロットサブキャリアは、４つのアンテナに対応する、方法。
【請求項２】
前記４つのパイロットサブキャリアは、パイロットサブキャリアＰ０、Ｐ１、Ｐ２及びＰ３を含み、前記パイロットサブキャリアＰ０、Ｐ１、Ｐ２及びＰ３は、前記１番目のＯＦＤＭＡシンボル内の１番目、２番目、３番目、及び４番目に発生するパイロットサブキャリアである、請求項１に記載の方法。
【請求項３】
前記パイロットサブキャリアＰ２、Ｐ３、Ｐ０、及びＰ１は、前記２番目のＯＦＤＭＡシンボル内の１番目、２番目、３番目、及び４番目に発生するパイロットサブキャリアである、請求項２に記載の方法。
【請求項４】
前記４つのパイロットサブキャリアは、パイロットサブキャリアＰ０、Ｐ１、Ｐ２及びＰ３を含み、前記パイロットサブキャリアＰ１、Ｐ０、Ｐ３、及びＰ２は、前記５番目のＯＦＤＭＡシンボル内の１番目、２番目、３番目、及び４番目に発生するパイロットサブキャリアである、請求項１に記載の方法。
【請求項５】
前記パイロットサブキャリアＰ３、Ｐ２、Ｐ１、及びＰ０は、前記６番目のＯＦＤＭＡシンボル内の１番目、２番目、３番目、及び４番目に発生するパイロットサブキャリアである、請求項４に記載の方法。
【請求項６】
前記チャンネル推定を行うステップの出力をＭＩＭＯ後処理すること
をさらに含む、請求項１に記載の方法。
【請求項７】
複数入力複数出力（ＭＩＭＯ）アンテナシステムから送信された直交周波数分割多重接続（ＯＦＤＭＡ）信号を受信することであって、前記ＯＦＤＭＡ信号は、１つ以上のリソースブロックを用いることによって受信され、各リソースブロックは、１８個のサブキャリアと５個のＯＦＤＭＡシンボルとを表す１８＊５行列の形態である、ことと、
４つのストリームに対応する４つのパイロット信号に基づいてチャンネル推定を行うことであって、前記４つのパイロット信号は、前記５個のＯＦＤＭＡシンボルの１番目、２番目、４番目及び５番目のＯＦＤＡＭシンボルにのみわたって分散される、ことと
を含み、各ＯＦＤＭＡシンボルは、パイロットサブキャリアを含み、１番目及び２番目に発生するパイロットサブキャリアは、４個のサブキャリアだけ離れており、前記２番目及び３番目に発生するパイロットサブキャリアは、６個のサブキャリアだけ離れており、前記３番目及び４番目に発生するパイロットサブキャリアは、４個のサブキャリアだけ離れており、
各ＯＦＤＭＡシンボルは、前記パイロットサブキャリアを含み、前記１番目〜４番目に発生するパイロットサブキャリアは、４つのアンテナに対応する、方法。
【請求項８】
前記４つのパイロットサブキャリアは、パイロットサブキャリアＰ０、Ｐ１、Ｐ２及びＰ３を含み、前記パイロットサブキャリアＰ０、Ｐ１、Ｐ２及びＰ３は、前記１番目のＯＦＤＭＡシンボル内の１番目、２番目、３番目、及び４番目に発生するパイロットサブキャリアである、請求項７に記載の方法。
【請求項９】
前記パイロットサブキャリアＰ２、Ｐ３、Ｐ０、及びＰ１は、前記２番目のＯＦＤＭＡシンボル内の１番目、２番目、３番目、及び４番目に発生するパイロットサブキャリアである、請求項８に記載の方法。
【請求項１０】
前記４つのパイロットサブキャリアは、パイロットサブキャリアＰ０、Ｐ１、Ｐ２及びＰ３を含み、前記パイロットサブキャリアＰ１、Ｐ０、Ｐ３、及びＰ２は、前記５番目のＯＦＤＭＡシンボル内の１番目、２番目、３番目、及び４番目に発生するパイロットサブキャリアである、請求項７に記載の方法。
【請求項１１】
前記パイロットサブキャリアＰ３、Ｐ２、Ｐ１、及びＰ０は、前記６番目のＯＦＤＭＡシンボル内の１番目、２番目、３番目、及び４番目に発生するパイロットサブキャリアである、請求項１０に記載の方法。
【請求項１２】
前記チャンネル推定を行うステップの出力をＭＩＭＯ後処理すること
をさらに含む、請求項７に記載の方法。
【請求項１３】
移動無線通信機器であって、
複数入力複数出力（ＭＩＭＯ）アンテナシステムから送信される直交周波数分割多重接続（ＯＦＤＭＡ）信号を受信するように構成された受信機であって、前記ＯＦＤＭＡ信号は、１つ以上のリソースブロックを用いることによって受信され、各リソースブロックは、１８個のサブキャリアと７個のＯＦＤＭＡシンボルとを表す１８＊７行列の形態である、受信機と、
前記受信機に作動可能に連結されており、４つのストリームに対応する４つのパイロット信号に基づいてチャンネル特性を推定するように構成されるチャンネル推定器であって、前記４つのパイロット信号は、前記７個のＯＦＤＭＡシンボルの１番目、２番目、５番目及び６番目のＯＦＤＡＭシンボルにのみわたって分散される、チャンネル推定器と
を含み、各ＯＦＤＭＡシンボルは、パイロットサブキャリアを含み、１番目及び２番目に発生するパイロットサブキャリアは、４個のサブキャリアだけ離れており、前記２番目及び３番目に発生するパイロットサブキャリアは、６個のサブキャリアだけ離れており、前記３番目及び４番目に発生するパイロットサブキャリアは、４個のサブキャリアだけ離れており、
各ＯＦＤＭＡシンボルは、前記パイロットサブキャリアを含み、前記１番目〜４番目に発生するパイロットサブキャリアは、前記４つのストリームに対応する、移動無線通信機器。
【請求項１４】
前記４つのパイロットサブキャリアは、パイロットサブキャリアＰ０、Ｐ１、Ｐ２及びＰ３を含み、前記パイロットサブキャリアＰ０、Ｐ１、Ｐ２及びＰ３は、前記１番目のＯＦＤＭＡシンボル内の１番目、２番目、３番目、及び４番目に発生するパイロットサブキャリアである、請求項１３に記載の移動無線通信機器。
【請求項１５】
前記パイロットサブキャリアＰ２、Ｐ３、Ｐ０、及びＰ１は、前記２番目のＯＦＤＭＡシンボル内の１番目、２番目、３番目、及び４番目に発生するパイロットサブキャリアである、請求項１４に記載の移動無線通信機器。
【請求項１６】
前記４つのパイロットサブキャリアは、パイロットサブキャリアＰ０、Ｐ１、Ｐ２及びＰ３を含み、前記パイロットサブキャリアＰ１、Ｐ０、Ｐ３、及びＰ２は、前記５番目のＯＦＤＭＡシンボル内の１番目、２番目、３番目、及び４番目に発生するパイロットサブキャリアである、請求項１３に記載の移動無線通信機器。
【請求項１７】
前記パイロットサブキャリアＰ３、Ｐ２、Ｐ１、及びＰ０は、前記６番目のＯＦＤＭＡシンボル内の１番目、２番目、３番目、及び４番目に発生するパイロットサブキャリアである、請求項１６に記載の移動無線通信機器。
【請求項１８】
前記チャンネル推定器に作動可能に連結されており、前記チャンネル推定器の出力を後処理するように構成されたＭＩＭＯポストプロセッサをさらに含む、請求項１３に記載の移動無線通信機器。
【請求項１９】
移動無線通信機器であって、
複数入力複数出力（ＭＩＭＯ）アンテナシステムから送信される直交周波数分割多重接続（ＯＦＤＭＡ）信号を受信するように構成された受信機であって、前記ＯＦＤＭＡ信号は、１つ以上のリソースブロックを用いることによって受信され、各リソースブロックは、１８個のサブキャリアと５個のＯＦＤＭＡシンボルとを表す１８＊５行列の形態である、受信機と、
前記受信機に作動可能に連結されており、４つのストリームに対応する４つのパイロット信号に基づいてチャンネル特性を推定するように構成されるチャンネル推定器であって、前記４つのパイロット信号は、前記５個のＯＦＤＭＡシンボルの１番目、２番目、４番目及び５番目のＯＦＤＡＭシンボルにのみわたって分散される、チャンネル推定器と
を含み、各ＯＦＤＭＡシンボルは、パイロットサブキャリアを含み、１番目及び２番目に発生するパイロットサブキャリアは、４個のサブキャリアだけ離れており、前記２番目及び３番目に発生するパイロットサブキャリアは、６個のサブキャリアだけ離れており、前記３番目及び４番目に発生するパイロットサブキャリアは、４個のサブキャリアだけ離れており、
各ＯＦＤＭＡシンボルは、前記パイロットサブキャリアを含み、前記１番目〜４番目に発生するパイロットサブキャリアは、前記４つのストリームに対応する、移動無線通信機器。
【請求項２０】
前記４つのパイロットサブキャリアは、パイロットサブキャリアＰ０、Ｐ１、Ｐ２及びＰ３を含み、前記パイロットサブキャリアＰ０、Ｐ１、Ｐ２及びＰ３は、前記１番目のＯＦＤＭＡシンボル内の１番目、２番目、３番目、及び４番目に発生するパイロットサブキャリアである、請求項１９に記載の移動無線通信機器。
【請求項２１】
前記パイロットサブキャリアＰ２、Ｐ３、Ｐ０、及びＰ１は、前記２番目のＯＦＤＭＡシンボル内の１番目、２番目、３番目、及び４番目に発生するパイロットサブキャリアである、請求項２０に記載の移動無線通信機器。
【請求項２２】
前記４つのパイロットサブキャリアは、パイロットサブキャリアＰ０、Ｐ１、Ｐ２及びＰ３を含み、前記パイロットサブキャリアＰ１、Ｐ０、Ｐ３、及びＰ２は、前記５番目のＯＦＤＭＡシンボル内の１番目、２番目、３番目、及び４番目に発生するパイロットサブキャリアである、請求項１９に記載の移動無線通信機器。
【請求項２３】
前記パイロットサブキャリアＰ３、Ｐ２、Ｐ１、及びＰ０は、前記６番目のＯＦＤＭＡシンボル内の１番目、２番目、３番目、及び４番目に発生するパイロットサブキャリアである、請求項２２に記載の移動無線通信機器。
【請求項２４】
前記チャンネル推定器に作動可能に連結されており、前記チャンネル推定器の出力を後処理するように構成されたＭＩＭＯポストプロセッサをさらに含む、請求項１９に記載の移動無線通信機器。